(57)【要約】      （修正有）【課題】従来の人の手による製造工程で瑕疵が発生する欠点を改め、製造工程及び時間とコストを大幅に簡素化する、暖簾、カーテン、ブレスレット、ネックレス等に応用される連接玉構造を提供する。【解決手段】連接玉１の構造は、糸部材２及び複数個の玉体３を含み、各玉体３は糸部材に付着固定される。玉体３は、内玉層３１及び第一外玉層３２を有する。この内玉層３１は糸部材２を通した第一型穴内にプラスチック材を注入して冷却成形し、第一外玉層３２は糸部材２及び内玉層３１を収容した第二型穴にプラスチック材を注入して冷却成形する。第一外玉層３２は内玉層３１の全部もしくは一部分をしっかりと包み込む。【選択図】図３
0003135446.tif 000002
【実用新案登録請求の範囲】
【請求項１】
糸部材及びこの糸部材に付着固定される複数個の玉体から構成された連接玉構造において、各玉体は少なくとも一つの内玉層及び少なくとも一つの第一外玉層を含み、前記内玉層は少なくとも一つの糸部材を通した第一型穴内にプラスチック材を注入して冷却成形し、内玉層が糸部材をしっかり包み込み、前記第一外玉層は少なくとも一つの糸部材及び内玉層を収容する第二型穴にプラスチック材を注入して冷却成形し、その第一外玉層は内玉層外側をしっかりと包み込むことを特徴とする連接玉構造。
【請求項２】
前記内玉層は、一つの球状部及び球状部から上下両端に伸びた柱状部を含み、前記第一外玉層は円球状でかつ内玉層の球状部及び部分柱状部をしっかりと包み込むことを特徴とする請求項１記載の連接玉構造。
【請求項３】
前記第一外玉層は、その外周囲に少なくとも一層のプラスチック材の蓋を被せることを特徴とする請求項１記載の連接玉構造。
【請求項４】
前記内玉層は、動物造型とすることを特徴とする請求項１記載の連接玉構造。
【請求項５】
前記内玉層は、立体幾何学造型とすることを特徴とする請求項１記載の連接玉構造。
【考案の詳細な説明】
【技術分野】
【０００１】
本考案は、複数の玉体を配列した連接玉構造に関する。
【背景技術】
【０００２】
従来の連接玉構造を図１に示す。連接玉９は糸部材９１及び複数個の玉体９２から構成され、その糸部材９１は一般に綿素材であり、玉体９２はプラスチック材を金型もしくは射出成形で製造する。製造過程中に於いて異なる色もしくは透明なプラスチック材で分層して製造し，複数層のプラスチック材料で構成された玉体９２を形成する。図１の例では、玉体９２は内玉層９２１及び外玉層９２２から構成され、その玉体９２は機械加工によって貫通孔９２３を貫設して玉体９２に孔を開け、人の手によって糸部材９１に玉体９２の貫通孔９２３を通す。玉体９２の前後にてそれぞれ本結び９３を行うことにより玉体９２を固定し、続いて一つ一つ複数個の玉体９２を糸部材９１に等間隔に配列固定し、連接玉９を完成する。
【０００３】
連接玉９は、暖簾、カーテン、ブレスレット、ネックレス等に応用される。図２は、暖簾９４の従来例であり、連接玉９の長さを測って裁断した後、複数条の連接玉９の一端を横桿９５上に等間隔に配列固定し、別の端を下に垂らし、形を整え美観を備えた暖簾９４を成形する。
【０００４】
しかしながら、従来の連接玉９の構造では、人の手により糸部材９１を玉体９２上の貫通孔９２３に通し本結び９３を行う必要があるため、労力及び時間を無駄にするだけでなく、人の手による本結びの動作は玉体９２間の間隔に誤差を生じ、視覚上の対称性及び美観を損ねる。更に玉体９２の上下の本結び９３により玉体９２を強く締めないと、玉体９２が糸部材９１上を滑り移動してしまう。
本考案は、上述の問題を解決することを目的とする。
【考案の開示】
【考案が解決しようとする課題】
【０００５】
本考案が解決しようとする課題は、従来の人の手による製造工程で瑕疵が発生する欠点を改め、製造工程及び時間とコストを大幅に簡素化する連接玉構造を提供することにある。
【課題を解決するための手段】
【０００６】
本考案は、糸部材及び複数個の玉体を含み、各玉体は糸部材に付着固定され、少なくとも一つの内玉層及び少なくとも一つの第一外玉層を含む。この内玉層は糸部材を通した第一型穴内にプラスチック材を注入して冷却成形し、第一外玉層は糸部材及び内玉層を収容した第二型穴にプラスチック材を注入して冷却成形する。第一外玉層は内玉層の全部もしくは一部分をしっかりと包み込むことを特徴とする。
（考案の効果）
【０００７】
本考案の連接玉構造は、次の利点がある。
本考案の連接玉構造によると、製造時、金型にプラスチック材を注入すると同時に、玉体と玉体を固定する糸部材が同時に完成し、人工的に玉体を固定する必要がなく、生産効率を大幅に高め、コストを下げ、固定効果を高める。
本考案の連接玉構造によると、玉体の色彩、造型もしくは様式変化は金型によってコントロールするため、玉体の厚み、変化が多様になり、市場競争力が高まる。
本考案の連接玉構造によると、必要に応じて長さを切ることができるので、製造もしくは販売に便利である。
本考案の連接玉の生産過程に於いて玉体は等距離に設置されるため、配列過程で不規則になり全体的な美観を損なうことがない。
【考案を実施するための最良の形態】
【０００８】
連接玉構造を提供し、複数個の層状のプラスチック材が糸部材を包み込んで形成され、異なる型穴に異なる色もしくは透明のプラスチック材を注入することにより、外観及び色彩を多様化し、観賞価値、芸術価値を高めることを本考案の主な目的とする。
【０００９】
上述の目的を達成するため、本考案の連接玉構造は糸部材及び複数個の玉体を含む。そのうち、各玉体は糸部材に付着固定され、玉体は少なくとも一つの内玉層及び少なくとも一つの第一外玉層を含む。内玉層は少なくとも一つの糸部材が通された第一型穴内にプラスチック材を注入して冷却成形し、その内玉層は糸部材をしっかりと包み込む。第一外玉層は糸部材及び内玉層を収容する第二型穴にプラスチック材を注入して冷却成形し、その第一外玉層が内玉層外側をしっかりと包み込む。
（一実施例）
【００１０】
以下、本考案の実施例を図面に基づいて説明する。
【００１１】
本考案の一実施例による連接玉構造を図３に示す。この連接玉１は、糸部材２及び複数個の玉体３を含み、糸部材２は糸の材質を限定せず、例として織物、非織物、金属、プラスチック等でもよく、一般に木綿素材を主とする。各玉体３は糸部材２に付着固定し、特に各玉体３は少なくとも一つの内玉層３１及び少なくとも一つの第一外玉層３２を含む。
【００１２】
内玉層３１はプラスチック材からなり、糸部材２を通した第一型穴(図示せず)内にプラスチック材を注入して冷却成形し、成形すると、内玉層３１は糸部材２をしっかりと包み込む。本実施例に於いて、内玉層３１は球状部３１１及び、球状部３１１の両端からそれぞれ上及び下向きに伸びた柱状部３１２から構成され、内玉層３１と糸部材２はしっかりと密着結合して移動及び脱落しない。
【００１３】
第一外玉層３２は内玉層３１と異なるプラスチック材を少なくとも一つの糸部材２及び内玉層３１を収容する第二型穴(図示せず)に注入して冷却成形する。この第一外玉層３２は内玉層３１をしっかりと包み込む。本実施例に於いて、第一外玉層３２は円球形状で且つ内玉層３１の球状部３１１及び一部柱状部３１２をしっかりと包み込む。
【００１４】
上述構造により、糸部材２上の複数個の玉体３は金型の設計で等間隔、または不規則変化に配列し、無限回数の重複製造を行い、人の手による製造の影響を受けることなく、製品の一致性を備え、瑕疵の発生を下げる。また内玉層３１は糸部材２に直接固定されるため、滑ることがなく、更には本結びで玉体３を固定する必要がないため、連接玉１の応用性及び芸術性が大幅に高まる。
【００１５】
図４に示すのは、本考案の上記実施例による連接玉１を適する長さに裁断し、一端は横桿４に整列させて形成した暖簾５である。この他、本考案はカーテン、ブレスレット、ネックレス等装飾品の構成にも応用でき、家のリビング、学校、オフィスもしくは個人の装飾に利用し、応用範囲が広がる。
【００１６】
この実施例では、玉体３の第一外玉層３２の外周囲は少なくとも一層のプラスチック材(図示せず)で覆われ、この玉体３を金型内に置き、続けてプラスチック材を注入し、第一外玉層３２の外側に更に多層のプラスチック材を作り、玉体３の色彩、形状もしくはサイズを変化させることができる。
【００１７】
（その他の実施例）
本考案の連接玉の玉体３の形状を変化させたその他の実施例を図５から図７に示す。図５が示す連接玉６は、玉体６１の内玉層６１１に造形変化を成形し、その内玉層６１１は動物の造型とし、例として熊の造型を提示している。図６が示す連接玉７は、玉体７１の内玉層７１１に造型変化を成形し、特に内玉層７１１が立体幾何学形状で、例として八角球型を提示している。図７が示す連接玉８は、第一外玉層８１の外側に更に第二外玉層８２を設置し、その第二外玉層８２の形状は第一外玉層８１と異なり、例として第一外玉層８１が円球形で第二外玉層８２が多角球体とすることにより、連接玉８の立体感、厚み及び色彩の華やかさが高まる。
【００１８】
前述の実施例もしくは図面は本考案の構造形態、サイズもしくは配列方式を制限するものではなく、本考案の属する技術分野における変更は全て本考案の範囲に属するものとする。
【図面の簡単な説明】
【００１９】
【図１】従来の連接玉を示す概略図である。
【図２】従来の連接玉を暖簾に応用した概略図である。
【図３】本考案の一実施例による連接玉構造を示す断面図である。
【図４】本考案の一実施例による連接玉構造を暖簾に応用した概略図である。
【図５】本考案のその他の実施例による連接玉構造を示す概略図である。
【図６】本考案のその他の実施例による連接玉構造を示す概略図である。
【図７】本考案のその他の実施例による連接玉構造を示す断面図である。
【符号の説明】
【００２０】
１：連接玉、２：糸部材、３：玉体、３１：内玉層、３１１：球状部、３１２：柱状部、３２：第一外玉層、４：横桿、５：暖簾、６：連接玉、６１：玉体、６１１：内玉層、７：連接玉、７１：玉体、７１１：内玉層、８：連接玉、８１：第一外玉層、８２：第二外玉層、９：連接玉、９１：糸部材、９２：玉体、９２１：内玉層、９２２：外玉層、９２３：貫通孔、９３：本結び、９４：暖簾、９５：横桿
【図１】
0003135446.tif 000003
【図２】
0003135446.tif 000004
【図３】
0003135446.tif 000005
【図４】
0003135446.tif 000006
【図５】
0003135446.tif 000007
【図６】
0003135446.tif 000008
【図７】
0003135446.tif 000009